(57)【要約】カラー電気泳動ディスプレイと、各々が画像ボリューム（ＶＩ）とリザーバボリューム（ＲＶ）とを有するピクセルを有する。異なる色と異なる電気泳動移動度とを有する異なる種類の粒子（Ｐｆ，Ｐｍ，Ｐｓ；Ｐａ，Ｐｂ，Ｐｃ）が各々のピクセルにある。画像ボリューム（ＩＶ）にある粒子（Ｐｆ，Ｐｍ，Ｐｓ；Ｐａ，Ｐｂ，Ｐｃ）はピクセル（１０）の可視的色を決定し、リザーバボリューム（ＲＶ）にある粒子（Ｐｆ，Ｐｍ，Ｐｓ；Ｐａ，Ｐｂ，Ｐｃ）はピクセル（１０）の可視的色に寄与しない。カラー電気泳動ディスプレイは、全ての種類の粒子（Ｐｆ，Ｐｍ，Ｐｓ；Ｐａ，Ｐｂ，Ｐｃ）が少なくとも一部の前記ピクセルの色の変化に寄与する第１モード、又は、全ての種類の粒子（Ｐｆ，Ｐｍ，Ｐｓ；Ｐａ，Ｐｂ，Ｐｃ）の副集合のみが少なくとも一部の前記ピクセルの色の変化に寄与する第２モードのどちらかにおいて、カラー電気泳動ディスプレイを動作させるために駆動される。
2006522361.tif 000002
【特許請求の範囲】
【請求項１】
異なる色及び異なる電気泳動移動度を有する異なる種類の粒子を各々が有するピクセル；並びに
全ての種類の粒子が少なくとも一部の前記ピクセルの色の変化に寄与する第１モード、又は、全ての種類の粒子の副集合のみが少なくとも一部の前記ピクセルの色の変化に寄与する第２モードのどちらかにおいて、カラー電気泳動ディスプレイを動作するために前記ピクセルに駆動電圧を印加するためのドライバ；
を有することを特徴とするカラー電気泳動ディスプレイ。
【請求項２】
請求項１に記載のカラー電気泳動ディスプレイであって、前記ピクセル各々は画像ボリュームとリザーバボリュームとを有し、異なる種類の粒子は、前記画像ボリュームにあるときにピクセルの可視的色を決定し、前記リザーバボリュームにあるときにピクセルの可視的色に寄与しない、ことを特徴とするカラー電気泳動ディスプレイ。
【請求項３】
請求項１に記載のカラー電気泳動ディスプレイであって、前記ドライバは、前記第１モード中に存在する第１リフレッシュレートより大きい第２リフレッシュレートを有する映像情報の表示を得るように前記第２モード中に電気泳動ディスプレイのリフレッシュモードを適合させるための手段を有する、ことを特徴とするカラー電気泳動ディスプレイ。
【請求項４】
請求項２に記載のカラー電気泳動ディスプレイであって、前記リザーバボリュームは前記リザーバボリュームにおいて選択電界を生成するための選択電極を有し、前記画像ボリュームは前記画像ボリュームにおける充填電界を生成するための充填電極を有し、前記選択電界は第１方向に伸びていて、前記充填電界は前記第１方向と位置合わせされていない第２方向に伸びていて、そして、前記粒子は、選択電極間の距離に沿って局所的にのみ前記画像ボリュームに前記リザーバボリュームから移動することができ、前記ドライバは、前記選択電極に電圧パルスを供給し、前記画像ボリュームに連続的に、異なる群の粒子を移動させるように適合されている、ことを特徴とするカラー電気泳動ディスプレイ。
【請求項５】
請求項４に記載のカラー電気泳動ディスプレイであって、前記ドライバは、第２モード中に前記の異なる種類の粒子の単一の一種類のみを選択するよう、そして表示される単色画像に従って前記画像ボリュームにそれらの異なる種類の粒子を移動するように適合されている、ことを特徴とするカラー電気泳動ディスプレイ。
【請求項６】
請求項５に記載のカラー電気泳動ディスプレイであって、前記の異なる種類の粒子の単一の一種類の粒子は最も大きい移動度を有する粒子である、ことを特徴とするカラー電気泳動ディスプレイ。
【請求項７】
請求項２に記載のカラー電気泳動ディスプレイであって：
前記リザーバボリュームの異なるサブボリュームにおいて前記の異なる種類に粒子を分離するための選択電界を前記リザーバボリュームにおいて生成するための選択電極；及び
前記画像ボリュームに前記サブボリュームから前記の異なる種類の粒子を移動させるために充填電解を生成するための少なくとも１つの充填電極；
を更に有する、ことを特徴とするカラー電気泳動ディスプレイ。
【請求項８】
請求項７に記載のカラー電気泳動ディスプレイであって、前記の少なくとも１つの充填電極は、前記画像ボリュームに前記サブボリュームかた前記の異なる種類の粒子を同時に移動させるために方向付けられた充填電界を得るように位置付けられている、ことを特徴とするカラー電気泳動ディスプレイ。
【請求項９】
請求項７に記載のカラー電気泳動ディスプレイであって、前記の少なくとも１つの充填電極は、前記の異なるサブボリュームにおいてサブ充填電界を有するように前記充填電界を生成するための前記の異なるサブボリュームに関連付けられたサブ充填電極を有する、ことを特徴とするカラー電気泳動ディスプレイ。
【請求項１０】
請求項７に記載のカラー電気泳動ディスプレイであって：
更なるリザーバボリューム；
前記の更なるリザーバボリュームの更なる異なるサブボリュームにおいて前記の異なる種類の粒子を分離するための更なる選択電界を前記の更なるリザーバボリュームにおいて生成させるための更なる選択電極；並びに
前記画像ボリュームに前記の更なるサブボリュームから前記の異なる種類の粒子を同時に又は時間的に連続して移動させるために更なる充填電界を生成させるための更なる充填電極；
を更に有する、ことを特徴とするカラー電気泳動ディスプレイ。
【請求項１１】
請求項７に記載のカラー電気泳動ディスプレイであって、前記更なるリザーバボリュームに又はそれから、若しくはその逆に、同時に粒子を充填又はリセットするために第１の前記のリザーバボリュームにおいて前記の異なる種類の粒子の分離を得るために、第１の前記の選択電極を制御するための制御器と、少なくとも１つの第１の上記の充填電極と、前記更なる選択電極と、前記の更なる充填電極と、を有する、ことを特徴とするカラー電気泳動ディスプレイ。
【請求項１２】
請求項１１に記載のカラー電気泳動ディスプレイであって、前記ピクセルは、前記画像ボリュームに前記サブボリュームを離れる前記粒子を更に誘引するための前記充填電極より前記リザーバボリュームから更に遠い第２方向にある前記画像ボリュームにおいて配置された更なる充填電極を有する、ことを特徴とするカラー電気泳動ディスプレイ。
【請求項１３】
請求項１２に記載のカラー電気泳動ディスプレイであって、前記更なる充填電極は、前記リザーバボリュームにおいて蓄積ボリュームに最近接の前記サブボリュームに向かう最短距離を得るために前記サブボリュームに対して位置付けられている、ことを特徴とするカラー電気泳動ディスプレイ。
【請求項１４】
異なる色及び異なる電気泳動移動度を有する異なる種類の粒子を有するピクセルを有するカラー電気泳動ディスプレイを駆動する方法であって：
全ての種類の粒子が少なくとも一部の前記ピクセルの色の変化に寄与する第１モード、又は、全ての種類の粒子の副集合のみが少なくとも一部の前記ピクセルの色の変化に寄与する第２モードのどちらかにおいて、カラー電気泳動ディスプレイを動作するために前記ピクセルに駆動電圧を印加する段階；
を有することを特徴とする方法。
【請求項１５】
請求項１４に記載の方法であって、前記ピクセル各々は画像ボリュームとリザーバボリュームとを有し、異なる種類の粒子は、前記画像ボリュームにあるときにピクセルの可視的色を決定し、前記リザーバボリュームにあるときにピクセルの可視的色に寄与しない、ことを特徴とする方法。
【請求項１６】
請求項１乃至１３のいずれ一項に記載のカラー電気泳動ディスプレイを有することを特徴とする表示装置。
【発明の詳細な説明】
【技術分野】
【０００１】
本発明は、カラー電気泳動ディスプレイ、カラー電気泳動ディスプレイを駆動する方法及びカラー電気泳動ディスプレイを有する表示装置に関する。
【背景技術】
【０００２】
米国特許第６，２７１，８２３号明細書において、反射型電気泳動カラーディスプレイについて開示されている。そのディスプレイは、平面内に隣接して位置付けられているピクセル要素（又は、ピクセルという）を有する。ピクセルは、少なくとも２つのサブピクセル又は同じ平面内に隣接して位置付けられたセルを有する。ピクセルの異なるセルは異なる色を反射する。ピクセルの色は、それぞれのセルの各々により反射される色の加法混色により決定される。
【０００３】
各々のセルは、光透過性前面ウィンドウと、障害に成らない対向電極と、光反射性パネルと、カラーフィルタ媒体と、光透過性流体中の帯電された光吸収顔料粒子の懸濁液とを有する。
【０００４】
各々のセルにより反射される着色光の量は、収集電極及び対向電極に適切な電圧を印加することによりセル内の顔料粒子の位置により制御される。顔料粒子が光の経路中に位置しているとき、光は、前面ウィンドウから出射する前に著しく減衰し、ビューアには淡い色又は黒色に見える。顔料粒子が、実質的に、光の経路から取り除かれているとき、光は、十分に減衰することなく、ビューアの方に前面ウィンドウを通して反射して戻り、ビューアはカラーフィルタ媒体により透過された光を見ることができる。カラーフィルタ媒体は、例えば、光透過性着色フィルタ要素、着色光反射パネル又は顔料懸濁液の流体それ自体である。
【発明の開示】
【発明が解決しようとする課題】
【０００５】
本発明の目的は、異なる色の顔料粒子全てを用いる必要がない表示情報を表示するときに、速いリフレッシュレート又は低い電力消費を有するカラー電気泳動ディスプレイを提供することである。
【課題を解決するための手段】
【０００６】
第１の本発明の特徴は、請求項１に記載されている電気泳動ディスプレイを提供することである。第２の本発明の特徴は、請求項１４に記載されている電気泳動ディスプレイを駆動する方法を提供することである。第３の本発明の特徴は、請求項１６に記載されている電気泳動ディスプレイを有する表示装置を提供することである。本発明の優位性のある実施形態については、従属請求項に規定されている。
【０００７】
本発明の第１の特徴に従ったカラー電気泳動ディスプレイにおいては、異なる色を有する粒子は異なる移動度を有する。
【０００８】
カラー電気泳動ディスプレイは、全ての種類の粒子が少なくともセルの一部の色の変化に寄与する第１モードか又は、粒子の種類の副集合のみが少なくともセルの一部の色の変化に寄与する第２モードのどちらかにおいて、カラー電気泳動ディスプレイを動作するようにピクセルに駆動電圧を印加するドライバを有する。例えば、第１モードにおいては、フルカラー画像が表示され、第２モードにおいては、モノクロの画像が表示される。第２モードにおいては、異なる色の粒子全てが表示される画像に寄与するように移動される必要はないため、リフレッシュレートを大きくすることができ、又は、同じリフレッシュレートで、電力消費を減少させることができる。最も速い粒子のみが第２モードの間に用いられる場合、その効果は最大となる。
【０００９】
モノクロの映像がフルカラーモードの状態で比較的小さいレフレッシュレートを有するフルカラーの電子ペーパーディスプレイに表示されるとき、大きいリフレッシュレートが、特に、適切である。
【００１０】
対照的に、従来技術の電気泳動カラーディスプレイは、画像を表示するために必要な色の量に依存しないピクセルのサブピクセル全てを常にアドレス指定し、それ故、異なる色の顔料粒子全てを常に用いるものである。モノクロ映像の表示は、低リフレッシュレートのために強い動きアーティファクトを示す。
【００１１】
請求項２に記載されている本発明に従った実施形態においては、電気泳動ディスプレイは、各々が画像ボリュームとリサーバボリュームとを有するピクセルを有する。ピクセルの各々は、異なる色と異なる電気泳動移動度とを有する異なる種類の粒子で満たされている。それらの粒子は、画像ボリューム中に存在するとき、ピクセルの可視的色を決定し、それらの粒子は、リザーバボリュームに存在するとき、ピクセルの可視的色に寄与しない。カラー電気泳動ディスプレイは、粒子の種類全てが少なくともセルの一部の色の変化に寄与する第１モードか又は、粒子の種類の副集合のみが少なくともセルの一部の色の変化に寄与する第２モードのどちらかにおいて、カラー電気泳動ディスプレイを動作するようにピクセルに駆動電圧を印加するドライバを更に有する。どの粒子がリザーバボリュームから画像ボリュームに移動するかは、表示されるべき画像に従って特定のピクセルが得られる必要がある色に依存する。しかしながら、画像ボリュームへの全ての種類の粒子の移動が必要であるピクセルが存在し得るため、全ての種類の粒子が、選択期間中に選択される必要があり、選択された全ての種類の粒子に対して、充填期間が、画像領域に選択された種類の粒子を移動させるために利用可能である必要がある。
【００１２】
第１モードにおいては、異なる色の粒子全てが、画像ボリュームに移動するようにリザーバボリュームにおいて選択される。それらの種類の粒子は画像ボリュームに実際に移動し、その画像ボリュームの量は表示されるべき画像に依存する。
【００１３】
第２モードにおいては、画像は利用可能な種類の粒子の副集合のみを用いることが可能である色を有するため、異なる色の粒子全てが、画像ボリュームに移動するようにリザーバボリュームにおいて選択されるのではない。
【００１４】
例えば、第１モードにおいては、画像ボリュームに移動されるべき全ての種類の粒子が
利用可能であるとき、フルカラー画像を表示することができる。通常、マゼンタ、黄色及びシアンの色を有する３種類の粒子を有することで十分である。第２モードの場合、例えば、モノクロの画像が表示される必要があるとき、画像ボリュームに移動するために利用可能である異なる種類の粒子の一種類のみを選択することで十分である。異なる種類の粒子の一種類のみがリザーバボリュームにおいて選択される必要があり、１つの充填期間のみが必要であるため、高リフレッシュレートが第２（モノクロ映像）表示モードにおいて有効であるか又は、リフレッシュレートが同様に保たれるときに電力消費が減少するかのどちらかである。
【００１５】
米国特許第６，４５５，３２３号明細書において、ＬＣＤディスプレイのためのディジタルドライバについて開示されている。ディジタルドライバの動作モードは、フォーマット制御信号に従って制御される。異なるモードは、単色、種々の分解能の色及び１ビットスーパーインポーズ機能である。フォーマット制御信号はピクチャ品質及び電力消費を最適化するために用いられる。単色モードにおいては、駆動信号は単一の色のみのＬＣＤセルに印加される。しかしながら、米国特許第６，４５５，３２３号明細書においては、各々の色がＬＣＤのピクセルを関連付けられているＬＣＤの性質により、異なる移動度を有する異なる種類の電気泳動粒子を各々が有するピクセルをディスプレイが有するときに、どのように進行させるかについて開示していない。更に、米国特許第６，４５５，３２３号明細書においては、異なる種類の粒子がピクセルのリザーバボリュームにおいてどのように選択される必要があるか、及び、それらの粒子が、ピクセルが得るべき色に従ってピクセルの画像ボリュームにどのように選択的に移動される必要があるかについて開示していない。ＬＣＤは、電気泳動ディスプレイと全く異なるように制御され、ＬＣＤディスプレイにおいては、画像は、駆動電圧が取り除かれるときに消えるのである。
【００１６】
請求項３に記載の本発明に従った実施形態においては、ドライバは、第１モードの間に存在する第１リフレッシュモードより速い第２リフレッシュモードを有する映像情報の表示を得るように第２モードの間に電気泳動表示のリフレッシュレートに適合する。上記のように、これは、移動表示情報が異なる種類の粒子の副集合の使用を可能にする色と共に表示される場合、この移動表示情報の表示の改善を可能にする。
【００１７】
請求項４に記載の本発明に従った実施形態においては、ピクセルは、連続して異なる種類の粒子をアドレス指定するように構成され且つ駆動される。各々のアドレス指定フェーズは、選択フェーズと充填フェーズとを有する。各々の選択フェーズの間、リザーバボリュームに存在する１つの種類の粒子はリザーバボリュームと画像ボリュームとの間の隙間の前に移動し、それ故、それらの粒子は画像ボリュームに充填期間中に移動することができる。他の粒子は、充填期間中、その隙間の前に存在せず、画像ボリュームに移動することを妨げられる。特定のピクセルの１つの画像ボリュームに移動する、選択された種類の粒子の実際の量は、表示される画像に従って得られる必要がある。
【００１８】
それ故、第１モードの間、全ての異なる種類の粒子は、ピクセル当たりのアドレス周期中、連続してアドレス指定される必要がある。表示のリフレッシュレートは、ピクセル当たり又はピクセルの行当たりのアドレス周期の持続時間を、表示時間のピクセル数により決定される。通常、ピクセルは行毎に選択される。通常、リフレッシュレートは、ピクセル全てがアドレス指定される前に、同じ光学状態にピクセル全てをリセットするために必要なリセット期間のために、更に減少する。
【００１９】
第２モードの間には、表示される画像において関連色は必要ないため、少なくとも１つの異なる種類の粒子はアドレス指定される必要はない。それ故、より短い、少なくとも１つのアドレス周期（選択器間及び充填期間）がピクセル又はピクセルの行当たりに必要であるため、ピクセルをアドレス指定するための総時間は非常に短くなる。その結果、リフレッシュレートを、より良好な表示映像に対して大きくすることができる、又は、その総時間の一部の間、表示の駆動は非アクティブであるため、電力消費は減少する。
【００２０】
請求項５に記載の本発明に従った実施形態においては、最も大きい移動度を有する種類の粒子のみをアドレス指定することができる。これは、ピクセルをアドレス指定するため、画像ボリュームにリザーバボリュームから粒子を移動させるため、及びリザーバボリュームにそれらを戻すように移動させることにより粒子を再設定するために、必要な時間を最短化する。
【００２１】
請求項７に記載の本発明に従った実施形態においては、選択電極は、リザーバボリュームの異なるサブボリュームにおける異なる種類の粒子を分離する選択電界をリザーバボリュームにおいて生成させる選択電極が存在する。選択電極間に印加される電圧は、それらの粒子に力を及ぼす選択電界を生成する。粒子は、粒子の移動度に依存する速度を有するこの力のために移動し始める。選択電界が存在する特定の期間内に、高移動度を有する粒子は、低移動度を有する粒子より遠くに移動する。このように、リザーバボリュームの異なるサブボリュームにおいて異なる粒子を分離することが可能である。
【００２２】
充填電極は、画像ボリュームに異なるサブボリュームから異なる種類の粒子を移動させるために充填電界を生成する。充填電界は、ピクセルの色を決定するために画像ボリュームに異なるサブボリュームにおいて分離されている粒子を移動させる。ピクセルの色は、充填電界が存在する期間に依存する。充填電界が、短い持続時間の間、存在する場合、最も小さい移動度を有する粒子ではなく、最も大きい移動度を有するより多くの粒子が、画像ボリュームに移動する。充填電界が、長い持続時間の間、存在する場合、全部の粒子が画像ボリュームに移動し、それ故、単一の画像ボリュームを有する異なる色のピクセルが有効である。異なる色を得るためにいくつかの個別のセルを有する必要はない。その結果、画像ボリュームが従来技術のセルのボリュームに等しい場合、本発明に従ったピクセルはより小さい領域をカバーし、それ故、表示の分解能はより高くなる。本発明に従ったピクセルのピクセルボリュームが従来技術のピクセルの幾つかのセルのボリュームに等しい場合、輝度は、ピクセルの境界はより小さいピクセルボリューム又は面積を占めるため、より大きくなる。所望の色を生成する各々の従来技術のピクセルの一部は本発明における場合より小さいため、本発明における場合のように、全部のピクセルが必要とされる色を生成することができる場合より非常に輝度が低いように現れる。
【００２３】
請求項７に記載の本発明に従ったディスプレイは異なる色を提供することができるが、異なる粒子の異なる色の色合いの何れの有効な組み合わせを実行することは可能ではない。
【００２４】
請求項８に記載の実施形態においては、少なくとも１つの充填電極は、画像ボリュームにサブボリュームから異なる種類の粒子を同時に移動させるように方向付けられた充填電解を得るように位置付けられる。これは、粒子を有する画像ボリュームを満たすために必要な時間を著しく短くすることができるという有利点を有する。
【００２５】
請求項９に記載の実施形態においては、充填電界は各々の種類の粒子について個別に制御されることができ、それ故、サブボリュームから画像ボリュームにトランスポートされる各々の種類の粒子数を自由に制御することができる。その結果、異なる粒子の異なる色に基づく全ての色合いを生成することが可能である。異なる種類の粒子全てが画像を生成する必要があるとは限らない場合、副集合のみが画像ボリュームに移動されるために必要である。画像ボリュームに移動される必要がある粒子の種類のみが、それらが画像ボリュームに移動することができるまでに、リザーバボリューム内に移動するようになっているため、選択期間をより短くすることが可能である。最も短い種類の粒子のみが用いられない場合、より速いアドレス指定と、それ故に、より大きいリフレッシュレートとが可能である。
【００２６】
請求項１０に記載の実施形態においては、ピクセルは、更なるリザーバボリュームを有する。ピクセルは、第１の上記の選択電極と第１の上記の充填電極が第１の上記のリザーバボリュームに関連付けられるのと同じ方式で、更なるリザーバと関連付けられる更なる選択電極と充填電極とを有する。更なるリザーバボリュームボリュームの機能は、第１の上記のリザーバボリュームと同じである。この実施形態は、リザーバの１つにおける選択処理が請求項１０に記載の他のリザーバによる充填又はリセット処理と並行して実行されることができるために、ディスプレイのリフレッシュレートを更に速くすることができる有利点を有する。同様の画像ボリュームを有する３つ以上のりザーバを関連付けることが可能である。
【００２７】
請求項１２に記載の実施形態においては、ピクセルは、サブボリュームから画像ボリュームに入る粒子によりピクセルの可視的部分の充填を速めるように画像ボリュームにおける充填電界を拡大するために位置付けられた更なる充填電極を有する。
【００２８】
請求項１３に記載の実施形態においては、更なる充填電極からサブボリュームまでの距離は、更なる充填電極がりザーバボリュームにおける蓄積ボリュームに最近接であるように、変化する。これは、粒子の移動速度が増加し、画像ボリュームの充填時間が減少するように、より大きい電界が粒子に対して得られるという有利点を有する。
【００２９】
本発明の以上の及び他の特徴については、以下、詳述する実施形態を参照して明らかにすることとする。
【発明を実施するための最良の形態】
【００３０】
図１は、電気泳動ディスプレイのピクセルの構成を示している。ピクセルボリュームは、リザーバボリュームＲＶと画像ボリュームＩＶとを有する。異なる色及び異なる移動度を有する、異なる種類の粒子Ｐｆ、Ｐｍ、Ｐｓが存在する。図２に関して明らかになるように、選択期間中、異なる種類の粒子Ｐｆ、Ｐｍ、Ｐｓは、リザーバボリュームＲＶと画像ボリュームＩＶとの間の隙間ＯＰに移動するように、１つずつ、リザーバボリュームＲＶにおいて選択される必要がある。粒子Ｐｆ、Ｐｍ、Ｐｓは、リザーバボリュームＲＶにおいて選択電界ＳＦを印加することにより移動される。残りのリザーバボリュームＲＶ及び画像ボリュームＩＶはリブＲＩにより分離される。充填期間中、充填電界ＦＦは、表示される色に依存して、ピクセルの画像ボリュームＩＶにその隙間に存在する粒子を移動させる。選択電極Ｅ１及びＥ２は、粒子を移動させることができるようにリザーバボリュームＲＶに対して位置付けられ、それらの粒子は、初期的には、隙間ＯＰの方であって、選択電極Ｅ１に引き付けられている。充填電極Ｅ３及びＥ４は、充填期間中、画像ボリュームＩＶに隙間近くにある選択された粒子を移動させるように、又は、リセット期間中、リザーバボリュームに戻るように画像ボリュームＩＶ中にある粒子を移動させるように、画像ボリュームＩＶに対して位置付けられている。ピクセルの動作については、図２に関して明らかにすることにする。
【００３１】
図２は、フルカラー電気泳動ディスプレイにおける図１に示すピクセルの動作についての波形を示している。
【００３２】
先ず、多色情報が表示され、全ての種類の粒子がセルの色の変化に寄与することが可能である第１モードにおいて、電気泳動ディスプレイがどのように動作されるかを明らかにする。
【００３３】
第１段階においては、リセットパルスＲＥ１は、選択電極Ｅ１近傍の全ての粒子Ｐｆ、Ｐｍ、Ｐｓを集めるために選択電極Ｅ１に印加される。粒子Ｐｆ、Ｐｍ、Ｐｓが負に帯電されている場合、リセットパルスＲＥは正である必要がある。次に、電圧パルスＳＥ１が、選択電極Ｅ２が選択電極Ｅ１に対して正であり、全ての粒子Ｐｆ、Ｐｍ、Ｐｓが選択電極Ｅ２の方に引き寄せられるように、選択電極Ｅ１及びＥ２間に印加される。最も速い粒子Ｐｆ（例えば、シアンに着色された粒子）が選択電極Ｅ２近傍の隙間ＯＰに達するとき、選択電極Ｅ２における電圧パルスＳＥ１はオフにされる。他のより遅い種類の粒子は、その隙間ＯＰに未だに達することはない。それ故、最も速い粒子Ｐｆは、充填電極Ｅ３及びＥ４において充填パルスＦＰ１により生成された電界によりピクセルの画像ボリュームＩＶに引き寄せられる。他の粒子Ｐｍ及びＰｓは、リブＲＩにより妨げられるため、充填電極Ｅ３及びＥ４により生成される電界により画像ボリュームＩＶに引き寄せられることはない。
【００３４】
第２段階においては、第２リセットパルスＲＥ２は、選択電極Ｅ１近傍の全ての粒子Ｐｆ、Ｐｍ、Ｐｓを集めるように選択電極Ｅ１に印加される。次いで、電圧パルスＳＥ２が、最も速い粒子Ｐｆ及び隙間ＯＰに中程度の移動度を有する粒子Ｐｍの両方を移動させるために必要な長い期間中、選択電極Ｅ２に印加される。ここで、短い反発パルスＲＰ１が選択電極Ｅ２に印加され、又は、短い誘引パルスＲＰ１が、電極Ｅ１の方向に戻るように最も速い粒子Ｐｆ（例えば、シアンに着色された）を移動させるために選択電極Ｅ１に印加される。中程度の移動度を有する粒子Ｐｍ（例えば、マゼンタ色）は、充填期間中、充填電極Ｅ３及びＥ４において適切な電圧パルスＦＰ２により画像ボリュームＩＶに引き寄せられるように隙間Ｏ２から離れるように移動するための時間を殆んど有しない。
【００３５】
最後の段階は、最も遅い粒子Ｐｓ（例えば、黄色に着色された）をアドレス指定することである。先ず、選択電極Ｅ２は、全ての粒子Ｐｆ、Ｐｍ、Ｐｓが選択電極Ｅ２近傍に集められる第３リセットのための電圧パルスＲＥ３を供給される。次いで、電圧パルスＳＥ３が、選択電極Ｅ１の方向に選択電極Ｅ２から離れるように２つの最も速い種類の粒子（シアン及びマゼンタ）を移動させるように選択電極Ｅ１に印加され、最も遅い黄色の粒子Ｐｓは、選択電極Ｅ２近傍であって、それ故、隙間ＯＰ近傍に残る。充填電極Ｅ３及びＥ４における電圧パルスＦＰ３は、充填期間中、画像ボリュームＩＶにそれらの黄色の粒子Ｐｓを移動させる。
【００３６】
このように、多色情報が表示される第１モードにおいて電気泳動ディスプレイを動作することができるように、全ての粒子Ｐｆ、Ｐｍ、ＰｓはリザーバボリュームＲＶにおいて連続して選択され、表示される色に従って画像ボリュームＩＶに移動される必要がある。それらの一連の段階全ては、多色情報に従った次の色が同じピクセル又はセルにより表示される前に、実行される必要がある。電気泳動ディスプレイのリフレッシュ時間は、それ故、それら一連の３つの段階を実行するために必要な時間により制限される。
【００３７】
電気泳動ディスプレイは、情報が減少された色の量を伴って表示され、それ故、全ての種類の粒子が必要とされるとは限らない第２モードにおいて動作される。ここで、多色情報の表示に関する場合より、より少ない段階が実行される必要があり、全ての種類の粒子が用いられる必要がある。
【００３８】
単色情報が表示される必要がある特定の状態においては、単一種類の粒子を用いるようにされる。表示される単色情報に従って、単一種類の粒子を選択し、画像ボリュームＩＶにそれらの粒子を移動することのみが必要とされる。好適には、最も速い粒子のみが画像ボリュームＩＶに移動するように選択される。１つの種類の粒子のみが選択され、画像ボリュームＩＶに移動される必要があるため、リフレッシュ時間は非常に短くなる。それ故、単色情報は、多色情報より大きいリフレッシュレートで表示される。このことは、大きい量の（移動のない）テキストが読み込まれるとき、特に擾乱するフリッカアーティファクトを最少化する。速くなった画像の更新レートは動いている画像のぼやけを低減する。代替として、より小さい消費電力を得るためにリフレッシュレートを不変のまま維持することが可能である。
【００３９】
図３は、電気泳動ディスプレイのピクセルの他の構成を示している。ピクセルは、リザーバボリュームＲＶと画像ボリュームＩＶとを有するピクセルボリュームＰＶを有する。ピクセルにおいては、異なる電気泳動移動度を有する三種類の異なる色の粒子Ｐａ、Ｐｂ、Ｐｃが存在する。ピクセルの可視色は、画像ボリュームＩＶ内に存在する粒子Ｐａ、Ｐｂ、Ｐｃの量により決定される。好適には、それら粒子の色は、色合いの最大量を生成することができるように選択される。例えば、粒子は、黄色、マゼンタ及びシアンに着色される。選択電極ＳＥ１及びＳＥ２は、ｙ方向におけるリザーバボリュームＲＶ内の選択電界ＳＦ（更に又、選択フィールドＳＦという）を生成するためにリザーバボリュームＲＶの反対側に備えられている。充填電極ＦＥ１及びＦＥ２は、選択電極ＳＥ１及びＳＥ２が備えられている平面に垂直な平面内に備えられている。充填電極ＦＥ１及びＦＥ２はｙ方向に垂直なｘ方向に充填電界ＦＦを生成する。
【００４０】
一般に、全ての電極は、セルを有する基板における層の１つに位置付けられた導電性薄膜として形成されることができる。電極であって、特に、充填電極ＦＥ２は又、粒子Ｐａ、Ｐｂ、Ｐｃが通るようにするための幾つかの大きい孔又は多くの小さい孔を有するバリアの方式であることが可能であり、充填電極ＦＥ２は少なくとも１つのストリップを有することが可能である。
【００４１】
ディスプレイにおいて異なる多色ピクチャのレンダリングを可能にするために、ピクセルは、以下の説明で明らかになるように駆動される。
【００４２】
表示期間中に表示されるデータと整合してピクセルの色が適合される必要があるピクセルの表示期間（又は、リフレッシュ期間という）の開始時に、前の画像データに従って画像ボリュームＩＶに移動した、全ての着色された粒子Ｐａ、Ｐｂ、Ｐｃは、電界ＲＦを生成するように選択電極ＳＥ１において誘引電圧パルスを用いることによりリザーバボリュームＲＶの蓄積ボリュームＳＶに画像ボリュームから取り除かれる。それ故、初期状態において、着色された粒子Ｐａ、Ｐｂ、Ｐｃは、全ての着色された粒子Ｐａ、Ｐｂ、Ｐｃが実質的に同じ開始位置を有するように、蓄積ボリュームＳＶに蓄積される。
【００４３】
選択フェーズ中、粒子Ｐａ、Ｐｂ、Ｐｃは、選択電極ＳＥ２の方に粒子Ｐａ、Ｐｂ、Ｐｃを引き寄せるために選択電極ＳＥ１とＳＥ２との間の誘引電圧パルスを用いてリザーバボリュームＲＶ内で分離される。殆どの移動可能粒子Ｐｃは最も遠くに移動し、最も小さい移動度を有する粒子Ｐａは最も小さい距離を移動し、それらの中間の移動度を有する粒子Ｐｂはそれらの距離の間の他の距離を移動する。このように、図３に示すように、電圧パルスが、適切な持続時間中、選択電極ＳＥ１及びＳＥ２間に存在した後、粒子Ｐａ、Ｐｂ、Ｐｃは分離され、粒子ＰａはサブボリュームＳＶａにおいて実質的に存在し、粒子ＰｂはサブボリュームＳＶｂにおいて実質的に存在し、粒子ＰｃはサブボリュームＳＶｃにおいて実質的に存在する。サブボリュームＳＶａ、ＳＶｂ、ＳＶｃは、模式的に楕円で示されている。
【００４４】
充填フェーズ中、全ての粒子Ｐａ、Ｐｂ、Ｐｃは、充填電極ＦＥ１及びＦＥ２間で誘引電圧パルスを用いて画像ボリュームＩＶにリザーバボリュームＲＶのサブボリュームＳＶａ、ＳＶｂ、ＳＶｃから同時に移動する。十分な粒子Ｐａ、Ｐｂ、ＰｃがピクセルボリュームＰＶに入るとすぐ、誘引電圧パルスは充填電極ＦＥ１及びＦＥ２から取り除かれる。
【００４５】
粒子Ｐａ、Ｐｂ、ＰｃはリザーバボリュームＲＶから画像ボリュームＩＶに同時に移動するため、ピクセルのリフレッシュ時間を非常に短いまま保つことができる。一旦、粒子Ｐａ、Ｐｂ、Ｐｃが画像ボリュームＩＶ内に入ると、次のリフレッシュ期間まで充填電極ＦＥ２における小さい擾乱電圧によりそこに維持される。この画像維持時間中、粒子Ｐａ、Ｐｂ、Ｐｃはブラウン運動により混合されることができ、又は、必要に応じて、ピクセルの内側における粒子混合を達成するために（ＡＣ）電気信号を用いることができる。
【００４６】
好適には、図示しているように、充填電極ＦＥ２は、サブボリュームＳＶａ、ＳＶｂ、ＳＶｃそれぞれにおいて３つのサブ充填電界ＦＦａ、ＦＦｂ、ＦＦｃを有する充填電界を生成するために３つのサブ充填電極ＦＥ２ａ、ＦＥ２ｂ、ＦＥ２ｃを有する。それ故、画像ボリュームＩＶに移動する粒子Ｐａ、Ｐｂ、Ｐｃの量を個別に制御することを可能にする、３つの異なる（強度及び／又は持続時間において）充填電界ＦＦａ、ＦＦｂ、ＦＦｃを有することが可能である。
【００４７】
好適には、充填電極ＦＥ１は、ｘ方向に伸びているアームＦＥ１ａ及びＦＥ１ｂを有する。それらのアームＦＥ１ａ及びＦＥ１ｂは、互いから隣接するサブボリュームＳＶａ、ＳＶｂ、ＳＶｃの各々において存在する充填電界ＦＦａ、ＦＦｂ、ＦＦｃをシールドする。これにより、サブボリュームＳＶａ、ＳＶｂ、ＳＶｃから出る必要がある粒子Ｐａ、Ｐｂ、Ｐｃの量の制御においてクロストークの影響が低減する。好適な実施形態においては、ＦＥ１ａ及びＦＥ１ｂは、個別に規定可能である電圧を有することが可能である個別電極として実施される。これは、粒子を選択し、画像ボリュームを充填する効率を更に向上させることができる。
【００４８】
画像ボリュームＩＶに粒子Ｐａ、Ｐｂ、Ｐｃを更に誘引するために画像ボリュームＩＶに更なる充填電界ＦＦＦを生成することにより画像ボリュームＩＶの充填を速めるために、更なる充填電極ＣＦを備えることが可能である。
【００４９】
十分な粒子Ｐａ、Ｐｂ、Ｐｃが画像ボリュームＩＶに入った（即ち、より小さい充填電極ＦＥ２ａ、ＦＥ２ｂ、ＦＥ２ｃを通った）らすぐに、過剰粒子Ｐａ、Ｐｂ、Ｐｃはそれらの小さい充填電極ＦＥ２ａ、ＦＥ２ｂ、ＦＥ２ｃを用いて送り返されることが可能である。
【００５０】
矢印ＲＦは、高電圧が選択電極ＳＥ１に印加されているとき、ピクセルのリセットフェーズ中に蓄積ボリュームＳＶに粒子Ｐａ、Ｐｂ、Ｐｃを移動させるために必要な電界を示している。ディスプレイは、リセットフェーズを速めるために高電圧を選択電極ＳＥ１に直接印加することができるように構成されることが可能である。その電圧がＴＦＴにより選択電極に印加される必要がある場合、その電圧レベルは制限される。
【００５１】
リザーバＲＥに戻るように粒子Ｐａ、Ｐｂ、Ｐｃを方向付ける電界を増加させるように、例えば、画像ボリュームＩＶにおいてリセット電極を付加することが又、可能である。好適には、このような付加リセット電極は画像ボリュームＩＶの中央に位置付けられる。リセットフェーズ中、先ず、電圧は、ピクセルの中央に粒子Ｐａ、Ｐｂ、Ｐｃを集中させるようにその付加電極に印加され、次いで、蓄積ボリュームＳＶに粒子Ｐａ、Ｐｂ、Ｐｃを誘引するように選択電極ＳＥ１に電圧を印加する。代替として、存在している電極の１つであって、例えば、ＦＥ２ａが、リセットフェーズ中、付加リセット電極の機能を一時的に取ることが可能である。
【００５２】
図３に示しているリザーバボリュームＲＶの幾何学的構成においては、最も遅い粒子Ｐａの移動度は、典型的には、最も速い粒子Ｐｃの移動度より３倍小さい。蓄積ボリュームＳＶからサブボリュームまでの距離が非常に大きくなるように、リザーバボリュームＲＶの幾何学的構成を変えることが可能である。長いリザーバのために、粒子Ｐａ、Ｐｂ、Ｐｃを、移動度の差がかなり小さい場合でさえ、分離することができる。例えば、最も遅い粒子Ｐａの移動度を、最も速い粒子Ｐｃの移動度の７５％であるように選択することができる。その結果、最も遅い粒子Ｐａの移動度は非常に大きいため、画像ボリュームＩＶを充填するために必要な時間と蓄積ボリュームＳＶに戻るように粒子Ｐａ、Ｐｂ、Ｐｃを移動させる時間は著しく減少する。
【００５３】
電気泳動ディスプレイが単色情報を表示するために動作する第２モードにおいては、電気泳動ディスプレイの駆動は、最も大きい移動度を有する粒子Ｐｆが画像ボリュームＩＶに移動するように選択されるように適合される。これは、最も速い粒子ＰｆがサブボリュームＳＶａに移動される一方、他の遅い粒子Ｐｍ及びＰｓが尚も蓄積ボリュームＳＶにあるような多色モードにおける場合より遅い時間の間に、選択電極ＳＥ１及びＳＥ２の間に電圧を印加することにより実現される。サブボリュームＳＶａにおける最も速い粒子Ｐｆは、次いで、画像ボリュームＩＶに移動する。最も速い粒子Ｐｆのみが画像ボリュームＩＶに移動する必要があるため、充填期間の持続時間は又、単色モードにおける場合より短くなる。
【００５４】
全ての粒子の種類に代えて、最も大きい移動度及び中程度の移動度を有する粒子を使用することが又、可能である。又、画像ボリュームＩＶにそれら２種類の粒子を選択し、移動させるために必要な総時間は、全ての種類の粒子が、それ故、最も遅い粒子が選択され、移動される必要がある多色モードにおいて操作される場合より短い。それ故、多色情報より大きいリフレッシュレートを伴って画像ボリュームＩＶに移動するために又は電力消費を減少させるために全ての種類の粒子を必要とするとは限らない情報を表示することが可能である。その利得は、単色情報が最も速い粒子のみを用いることにより表示されるときに最も大きい。
【００５５】
図４は、電気泳動ディスプレイのピクセルの他の構成を示している。
【００５６】
図４に示しているピクセルは、更なる充填電極ＣＦが取り除かれ、第２リザーバＦＲＶがリザーバＲＶに対向する位置に付加されている図３に示しているピクセルに基づいている。リザーバＦＲＶの構成は、リザーバＲＶの構成と同一であることが可能である。
【００５７】
ピクセルは多色情報の表示を可能にするように構成される必要があるため、フルカラーピクチャを表示することができるピクセルの構成について説明する。そのようなピクセルにおいては、原色を有する少なくとも３つの粒子が存在する必要がある。
【００５８】
付加リザーバＦＲＶは、選択電極ＳＥＶ１及びＳＥＶ２と、サブボリュームＦＳＶａ、ＦＳＶｂ、ＦＳＶｃそれぞれにおいてサブ充填電界ＦＦＦａ、ＦＦＦｂ、ＦＦＦｃを生成するための３つの副充填電極ＦＦＥ２ａ、ＦＦＥ２ｂ、ＦＦＥ２ｃとを有する。このように、画像ボリュームＩＶにリザーバボリュームから移動する粒子ＦＰａ、ＦＰｂ、ＦＰｃの量を個別に制御することが可能である３つの異なる（強度及び／又は持続時間において）充填電界ＦＦＦａ、ＦＦＦｂ、ＦＦＦｃを備えることが可能である。この場合、サブ充填電極ＦＥ２ａ、ＦＥ２ｂ、ＦＥ２ｃは、画像ボリュームＩＶに粒子を更に誘引するために画像ボリュームＩＶにおいて更なる充填電界ＦＦＦを生成することにより画像ボリュームＩＶの充填を速めるように更なる充填電極ＣＦの機能を一時的に果たすことができる。
【００５９】
充填電極ＦＥＶ１は、ｘ方向に伸びているアームＦＦＥ１ｂ及びＦＦＥ１ａを有する。それらのアームＦＦＥ１ｂ及びＦＦＥ１ａは、互いから隣接するサブボリュームＦＳＶａ、ＦＳＶｂ、ＦＳＶｃそれぞれに存在する充填電界ＦＦＦａ、ＦＦＦｂ、ＦＦＦｃｗｐシールドする。このことは、サブボリュームＦＳＶａ、ＦＳＶｂ、ＦＳＶｃｗｐそのままの状態を保つ必要がある粒子ＦＰａ、ＦＰｂ、ＦＰｃの量の制御においてクロストークの影響を低減する。
【００６０】
付加リザーバボリュームＦＲＶのリセット期間中、粒子ＦＰａ、ＦＰｂ、ＦＰｃは蓄積ボリュームＦＳＶに蓄積ボリュームＦＲＦにより誘引される。
【００６１】
ａＦ、ｂＦ、ｃＦにより表される矢印は、付加リザーバボリュームＦＲＶから画像ボリュームＩＶの充填フェーズ中の粒子ＦＰａ、ＦＰｂ、ＦＰｃそれぞれの動きを示している。
【００６２】
図３に示すような本発明に従った実施形態は、リセットフェーズ中、ピクセルボリュームＰＶからそれらの粒子を取り除いた後に、先ず、画像ボリュームＩＶが充填される前に粒子Ｐａ、Ｐｂ、Ｐｃを選択する必要があるという短所を有する。
【００６３】
図４に示すような好適な実施形態においては、画像ボリュームＩＶは、２つのリザーバボリュームＳＶ及びＦＳＶと接しており、それにより、粒子ＦＰａ、ＦＰｂ、ＦＰｃはリザーバボリュームＦＲＶの蓄積ボリュームＦＳＶにリセットされ、粒子Ｐａ、Ｐｂ、Ｐｃは他のリザーバボリュームにおいて選択される。このように、粒子Ｐａ、Ｐｂ、Ｐｃ（色選択）の分離が、他のリザーバボリュームＦＲＶのリフレッシュ期間の開始に先立って実行されることができる。それ故、リザーバボリュームＦＲＶに対するリセットフェーズからリザーバＲＶによる充填フェーズに、直接、移行することが可能であり、それにより、リフレッシュ時間を更に減少させることが可能である。
【００６４】
これは又、最も速い粒子Ｐｆのみが画像ボリュームＩＶを充填するために用いられる単色モードにおいてリフレッシュレートを更に増加させるために有用である。
【００６５】
任意の充填電極ＣＦが、サブボリュームＳＶａ、ＦＳＶａそれぞれにおける粒子Ｐａ、ＦＰｃまでの距離がサブボリュームＳＶｃ、ＦＳＶｃそれぞれにおける粒子Ｐｃ、ＦＰｃまでの距離より短いように、リザーバＲＶに対して傾斜するように位置付けられる。画像ボリュームＩＶの寸法は同じである。この構成においては、サブボリュームＳＶａ又はＦＳＶａから出た粒子を引き寄せるための電界はより大きい。これは、全ての種類の粒子が最も遅い粒子Ｐｓの動きを速めるために用いられる多色モードにおいて、又、最も速い粒子Ｐｆ（又は、用いられる粒子の種類）の動きを速める単色モード（又は、全ての種類の粒子が用いられるとは限らないモード）中、有利である。このように、リフレッシュレートを更に増加させることができる。
【００６６】
図５は、電気泳動ディスプレイのピクセルの他の構成を示している。ここでは、各々のピクセルは３つのサブピクセルを有する。各々のサブピクセルは、黒色のダイを有する溶媒中に溶解した異なる種類の粒子を有する。最も速い粒子Ｐｆは表示セルＣＥ１中にあり、最も遅い粒子Ｐｓは表示セルＣＥ３中にあり、中程度の移動度を有する粒子は表示セルＣＥ２中にある。
【００６７】
図５Ａは、全ての異なる種類の粒子が、表示される画像に従ってピクセルが有する必要がある色に依存して移動する必要があるフルカラー動作について示している。図５Ｂにおいては、最も速い粒子Ｐｆのみが用いられ、他の粒子の種類はそれらの黒色状態に設定されたまま保たれる。単色画像のみを表示することが可能であるが、より遅い粒子は、電気泳動ディスプレイの動作速度を妨げないため、リフレッシュレートを著しく増加させることができる。
【００６８】
更に一般には、最も遅い粒子が用いられない、それ故、そのような粒子に対するアドレス周期が必要とされない限り、より大きいフレッシュレートが可能である。
【００６９】
図６は、本発明に従った実施形態の電気泳動マトリクスディスプレイを有する表示装置のブロック図を示している。そのディスプレイ１は、行電極又は選択電極７と列電極又はデータ電極６の交差部分にあるピクセル１０のマトリクスを有する。２つの選択電極ＳＥ１、ＳＥ２及び４つのデータ電極ＦＥ１、ＦＥ２ａ、ＦＥ２ｂ、ＦＥ２ｃは１つのピクセル１０に対応する。選択電極ＳＥ１は相互接続されることが可能である。データ電極ＦＥ１は又、相互接続されることが可能である。
【００７０】
ピクセル１０の行１乃至ｍは行ドライバ４により連続的に選択される一方、列電極１乃至ｎの群はデータレジスタ５によりデータを供給される。各々のピクセル１０は、リザーバボリュームＲＶと画像ボリュームＩＶとを有する。フルカラーピクセル１０は単一の画像ボリュームＩＶのみを有する。
【００７１】
入ってくるデータ２は、先ず、データ処理器３において、必要に応じて処理される。行ドライバ４とデータレジスタ５との間の相互同期化は駆動線８によりなされる。
【００７２】
行ドライバ４からの駆動信号は、選択期間中にサブボリュームＳＶａ、ＳＶｂ、ＳＶｃに粒子Ｐａ、Ｐｂ、Ｐｃを分離するために、及び、リセットフェーズ中、蓄積ボリュームＳＶに粒子Ｐａ、Ｐｂ、Ｐｃを戻すように移動するために、選択電極ＳＥ１及びＳＥ２に供給される。
【００７３】
データドライバ５からの駆動信号が、画像ボリュームＩＶにリザーバボリュームＲＶから分離された粒子Ｐａ、Ｐｂ、Ｐｃを移動するように充填電極ＦＥ１、ＦＥ２ａ、ＦＥ２ｂ、ＦＥ２ｃに供給される。付加充填電極ＣＦにおける電圧は又、必要に応じて、データドライバ５により供給されることが可能である。
【００７４】
そのような駆動は、小さいマトリクス又はセグメントディスプレイに対して適切である。更に一般的には、ディスプレイは、薄膜トランジスタ（ＴＦＴ）、ダイオード又は他の能動素子を有するアクティブマトリクスにより駆動される。ＴＦＴアクティブマトリクスの場合、各々のピクセルは、複数のアドレス（又は、選択）ＴＦＴを更に有する。ピクセルの線はアドレスＴＦＴにパルス電圧を印加することにより選択され、それにより、それらのピクセルは導通するようになり、データドライバ５により生成されるデータ信号にピクセルにおける電極を接続する。一部の電極を複数のピクセルに共通にすることが又、可能である。
【００７５】
全ての種類の粒子より少ない使用を満足するように既知の駆動を容易に適用することができる。図１及び２の連続して駆動されるディスプレイにおいては、用いられない粒子の種類に対する一連の電圧は除外される。図３及び４の並列駆動ディスプレイにおいては、最も速い種類の粒子のみが用いられる。粒子の選択は、画像ボリュームＩＶに移動される粒子のみが蓄積ボリュームＳＶから離れて移動するように、より短い選択時間を用いることにより実行される。又、充填及びリセットは、少なくとも最も遅い粒子がもはや用いられないとき、より短い期間中、実行される。ピクセルが３つのサブピクセルを有するディスプレイにおいては、サブピクセルの１つのみをアドレス指定するように駆動が適合される。
【００７６】
上記の実施形態は本発明を限定するのではなく、例示するものであり、当業者は、同時提出の特許請求の範囲から逸脱することなく、多くの代替の実施形態を設計することができることに留意する必要がある。
【００７７】
例えば、異なる３種類の粒子が存在することは本質的ではなく、重要なことは、異なる種類の粒子が存在することである。連続してアドレス指定されるディスプレイにおいては、より長いリフレッシュ時間又はより小さい損失の優位性は、全ての種類の粒子より少なく選択される場合に得られる。並列してアドレス指定されるディスプレイにおいては、その優位性は、情報を表示する最も遅い移動度を有しない粒子の種類の少なくとも１種類が選択される場合に得られる。粒子は、負に帯電されたものに代えて、正に帯電されたものとすることが可能である。正に帯電された粒子と負に帯電された粒子とを結合することが又、可能である。
【００７８】
用語“を有する”は、請求項において列挙された要素又は段階以外の要素又は段階の存在を排除するものではない。本発明は、幾つかの個別の要素を有するハードウェアにより、及び適切にプログラムされたコンピュータにより実行される。幾つかの手段を列挙した駆動請求項においては、それらの手段の幾つかは全く同一のハードウェアのアイテムにより実施される。
【図面の簡単な説明】
【００７９】
【図１】電気泳動ディスプレイのピクセルの構成を示す図である。
【図２】フルカラー電気泳動ディスプレイにおける図１に示しているピクセルを動作させるための波形を示す図である。
【図３】電気泳動ディスプレイのピクセルの他の構成を示す図である。
【図４】電気泳動ディスプレイのピクセルの他の構成を示す図である。
【図５】電気泳動ディスプレイのピクセルの他の構成を示す図である。
【図６】本発明に従った実施形態の電気泳動マトリクスディスプレイを備えた表示装置のブロック図である。
【図１】
2006522361.tif 000003
【図２】
2006522361.tif 000004
【図３】
2006522361.tif 000005
【図４】
2006522361.tif 000006
2006522361.tif 000007
【図６】
2006522361.tif 000008
【国際調査報告】
2006522361.tif 000009
2006522361.tif 000010